(57)【要約】      （修正有）【課題】タブレット端末及び携帯電話を手提げで持運び出来る、Ｃｅｌｌ  ｔａｂｌｅｔ  Ｄｅｖｉｃｅのケースを提供する。【解決手段】Ｃｅｌｌ  ｔａｂｌｅｔ  ＤＥＶｉＣＥ（バッテリータブレット端末）、Ｃｅｌｌ  Ｐｈｏｎｅ（セルフォーン）を手提げ（ｒｅｔｉｃｕｌｅ）ｂａｇのケースに入れて持運びが可能なケースであり、透明でタブレット端末が見えるｂａｇのケースを一枚の透明の厚めビニールで構成し、ビニールにヂッパーオープンテープを切断、縫い合わせた構造としている。【選択図】図１
2014082728.tif 000002
【特許請求の範囲】
【請求項１】
バッテリータブレット端末（Ｃｅｌｌ  ｔａｂｌｅｔ  ＤＥＶＩＣＥ）Ｉ，Ｐａｄ機でタテ２４ｃｍヨコ１８．５ｃｍの商標名称はＡＰＰｌＥＩｎｃ＝ＩＰａｄはローマ字で医葉ドとはＮｏｔ  Ｃｏｍｍａで正しくはＩ，Ｐａｄ端末名称は、「ｔａｂｌｅｔ  ＤＥＶｉＣＥ」が正しい名称を発明、商願２０１２−７８９３２号でＣｅｌｌ（バッテリー）タブレット電子道具，電子図案意匠タブレットとして、携帯電子（Ｃｅｌｌ）機械器具と改名した携帯電子器具は透明なビニール（Ｖｉｎｙｌ）で携帯（持運び）する方法で、ビニール厚板１ｃｍ〜１．５ｃｍの一枚板を用いてタブレット端末機のヨコ巾１８．５ｃｍと同じ巾用にオープンヂッパーに切断して、その切断部に解れる（ｆｒａｙ）部分にタテとヨコのヂッパーテープのパッチワーク図１〜（ｂ）００４〜００５部でヂッパーテープ切断部に解れ（ｆｒａｙ）止める（ｓｔａｎｄ  ｓｔｉｌｌヂッパーテープストップ止が形成させるタブレット（板）ヂッパーテープで形成のソフトケースＣｅｌｌ  ｔａｂｌｅｔ  ＤｅＶｉＣＥ（バッテリータブレット端末）ソフトケース透明ハンドｂａｇで衣服にも取付けられる。
さらにタブレット端末をケースに収納する目的で透明中央ベルト図２（ａ）００６透明ベルトが重要な取付部を形成しケース上部オープンオスヂッパーテープ０１０が取付ける  そしてケース下部オープンにメスヂッパーテープ０１２図２（ａ）、下部取付で下部にも透明ベルト００８で取付けると本体タブレット端末機は飛出しの危険は無い、バンドＢａｇも可能となった。さらにタブレット端末のケース０１４とビニール００１Ａ外側本体を合体して縫い付け０１５ミシン縫付でも飛出し危険しない合体ケース形成作製のタブレット端末ケース。
【請求項２】
バッテリーフォーン（Ｃｅｌｌ  Ｐｈｏｎｅ）Ｉ，Ｐｈｏｎｅ機の商標名称はＡＰＰｌＥＩｎｃ＝ｉＰｈｏｎｅはローマ字で医骨と云う誤字で漢字名称でＮｏｔ  Ｃｏｍｍａで有り正しくはｉ，Ｐｈｏｅｎにする目的でアイラブフォーンを再び商標２０１２−７８９３２号で出願中であり正しくは「ｉ，Ｐｈｏｎｅ携帯」機もケースが透明な厚板ビニールを用いてＣｅｌｌ  Ｐｈｏｎｅ機が見えるケースも長さ１０ｃｍ巾〜１５ｃｍ巾オープンヂッパーに切断し共地テープでパッチワークされる００４〜５Ｃｅｌｌ  Ｐｈｏｎｅケースでケースのポケット用にもパンドｂａｇにもヂッパーテープを土台片としてバンド手持ち部０１３出来るので歩きながら、の見えるｂａｇ電子模様タブレット、電子図案意匠タブレット、携帯ケースｂａｇ透明Ｃｅｌｌ  Ｐｈｏｎｅオープンヂッパーで形成の携帯電話透明バッグ（ｂａｇ）携帯電話用オープンヂッパー切断で縫付タブレット（板）の携帯出来るケース。
【発明の詳細な説明】
【技術分野】
【０００１】本発明は先の発明特願２０１２−１５９０２４号の追加（ａｄｄｉｔｉｏｎ）発明で図面〜〔図１〕ａ〜ｈと〔図２〕ａ〜ｃをさらに追加したタブレット端末用と携帯電話用ハンドバッグを透明ケースｂａｇの方法に関する。
【背景技術】
【０００２】従来、タブレット端末（Ｉ，Ｐａｄ）タテ２４ｃｍ〜ヨコ１８．５の大面積は通常衣服ポケットには入らない、又入っても引され現象で運動が出来ない原理の発明が解決しようとする課題。【０００３】本発明の基本は２０１２−１５９０２４号図１〜（ｊ）〜（ｈ）のオープンヂッパーテープ（通常５０ｃｍ〜４０ｃｍ）を１８．５ｃｍに切断図〜（ｊ）のパッチワークは４ヶ折り００７′であり厚みが出来る欠陥が発生して折り込みが困難に気付いたので本発明の目的は、図１〜（ｂ）のヂッパーテープ（オープン）メステープ００２の切断部に共地テープ００４をタテに縫い合せるとテープ緑（ｂｒｉｍ）を利用出来て００５は２ヶ所だけ折り込みで図１〜（ｄ）で切断部が解れ（ｆｒａｙ）止めるヂッパーテープはタブレット端末巾１８．５ｃｍの寸法に形成される。
【課題を解決するための手段】
【０００４】本発明はタブレット端末機及び携帯電話機を切断ヂッパーテープ（オープン）を１８．５ｃｍ長さに１０ｃｍの長さに完成させる事でケースを透明にする目的で透明ビニール一枚板クロスの両緑（別々）にヂッパーテープを縫い付が出来る一枚板タブレット用透明ケースを発明図２〜（ａ）〜（ｆ）は出来上り図。
【発明を実施するための最良の形態】
【０００５】本発明は透明一枚クロスのケースは通常横側に飛び出すタブレット端末機であり又、蓋（ｃｏｖｅｒ）型ケースも飛び出し落す危険が発生するのを防ぐ（Ｐｒｅｖｅｎｔ）目的で図２〜（ａ）に中央ベルト００６形成されてさらにオープンヂッパーテープ０１０（オス）とテープ０１２（メス）で抱き込み（ｈｏｌｄ  ｄｏｗｎ）された一枚クロスで作製のタブレット端末ケースは携帯出来る。【０００６】タブレット端末機は手提げ図２〜（ａ）０１３も取付も出来て手提げ付で衣服やｂａｇにもオープンヂッパーは取付も出来る手提げハンド０１３携帯出来るタブレット端末ケース。
【実施例】
【実施例１】
【０００７】図３〜（ａ）〜（ｃ）はタブレット端末ケース及び携帯電話ケースを透明ビニールクロス内側に抱き込みケース０１４及び０１４′を縫い合された合体のオープンヂッパー付のタブレット端末ケース及び携帯電話ケース。
【発明の効果】
【０００８】本発明の効果はタブレット端末及び携帯電話が手提げで持運び出来るのはオープンヂッパーが６０ｃｍの長さはヂャンバー服の寸法しか使用出来なかったが、本発明はｉ，Ｐａｄタブレット寸法は１８．５ｃｍ上り寸法に切断出来る  さらにｉ，Ｐｈｏｎｅ寸法で巾６．５ｃｍ上り寸法に切断した後パッチワークを縫付る発明によって、本発明の一枚ビニールがダブレット端末ケースに生れ変る、ヂッパーテープ（オープン）もタブレットヂッパーテープもダブレット（板）、を縫い上げるとタブレットケースが立体に組み立つのはヂッパーオープンテープがｉＰａｄ寸法ｉ，Ｐｈｏｎｅ寸法に切断出来る事が本発明である。
【図面の簡単な説明】
【０００９】
【図１】（ａ）〜（ｄ）はｔａｂｌｅｔ  ＤＥＶＩＣＥ端末用ケースのタブレットのオープンヂッパーテープを用いた本発明の製造方法の基本的手順を示す概略斜視図である。
【図２】（ａ）〜（ｆ）は本発明の製造方法の基本的手順を示す概略斜視図である。
【図３】（ａ）〜（ｃ）は本発明の実施の手順を示す斜視図である。
【符号の説明】
【００１０】００１Ａ−−−−−主クロス＝タブレット端末外側ビニール透明ケース表
００１′−−−−−主クロス＝セルフォーン外側ビニール透明ケース
００１Ｂ−−−−−主クロス＝タブレット端末内側ビニール透明ケース
００２  −−−−−オープンヂッパーメステープ本体
００３  −−−−−オープンヂッパーオステープ本体
００４  −−−−−ヂッパー切断部（００２）タテのパッチワーク部品布
００５  −−−−−ヂッパー切断部（００３）タテのパッチワーク部品布
００６  −−−−−タブレット端末機の帯（ｓａｓｈ）留ビニール下部
００７  −−−−−タブレット端末帯留ビニール縫付部
００８  −−−−−タブレット端末肩掛ビニール又はゴム上部
００９  −−−−−タブレット端末肩掛ビニール又はゴム縫付部
０１０  −−−−−オープンヂッパーテープオススライダー部
０１２  −−−−−オープンヂッパーテープメススライダー部
０１３  −−−−−タブレット端末ｂａｇハンド手持部
０１４  −−−−−タブレット端末抱きかゝえケース
０１４′−−−−−セルフォーン抱きかゝえケース
０１５  −−−−−タブレット端末ケースをビニールクロス縫付部
０１５′−−−−−携帯電話ケースをビニールクロス縫付部
【図１】
2014082728.tif 000003
【図２】
2014082728.tif 000004
【図３】
2014082728.tif 000005